(57)【要約】【課題】公共的な場所で自分の撮影した画像を一般の人が手軽に表示させることを可能とする画像表示システムを提供する。【解決手段】表示装置２は、公共的な場所に設置されることを前提としており、カメラ等から無線通信路を介して送信される画像データを受信部２３により受信する。そして、ＣＰＵ２１の制御下で動作する判断ユニット２２１は、第１に、事前に登録されたユーザかどうかで画像データの表示可否を判断し、第２に、その内容が制限すべき内容かどうかで画像データの表示可否を判断する。この判断のために、判断ユニット２１１は、有害画像判断部２１３を備え、この有害画像判断部２１３は、色算出部２１４により例えば画像の所定色（いわゆる肌色）の占有率を求め、この求めた占有率が基準値を越えた場合に、有害な画像であると判定する。【選択図】      図５
2006254222.tif 000002
【特許請求の範囲】
【請求項１】
カメラから提供される画像を公共的な場で表示する画像表示装置において、
カメラから送信された画像データを入力する入力手段と、
前記入力手段により入力された画像データを記憶する記憶手段と、
前記記憶された画像データに係る画像の表示可否を判断する判断手段と、
前記判断手段によりその表示を許可すべきでないと判断された画像データを前記記憶手段から消去する画像消去手段と、
前記判断手段により表示可能とされた画像を表示させる表示制御手段と
を具備することを特徴とする画像表示装置。
【請求項２】
前記判断手段は、前記画像データに添付される各々の提供者の情報に基づき、表示可否を判断することを特徴とする請求項１記載の画像表示装置。
【請求項３】
前記判断手段は、前記添付情報で示される提供者が予め登録された者である場合に、その画像データに係る画像の表示を許可することを特徴とする請求項２記載の画像表示装置。
【請求項４】
前記画像データの画像内に占める特定色の割合を算出する色算出手段を備え、
前記判断手段は、前記色算出手段により算出された前記特定色の割合に基づき、表示可否を判断することを特徴とする請求項１記載の画像表示装置。
【請求項５】
その表示を許可すべきではないと判断するための比較画像の画像データを記憶する比較画像記憶手段を具備し、
前記判断手段は、前記比較画像記憶手段に記憶された画像データとの比較により、表示可否を判断することを特徴とする請求項１記載の画像表示装置。
【請求項６】
前記表示制御手段は、各々の提供者から指定される日時に、その画像データに係る画像の表示を行うことを特徴とする請求項１、２、３、４、５または６記載の画像表示装置。
【請求項７】
前記表示制御手段は、前記添付情報に含まれる指定日時に基づき、その画像データに係る画像の表示を行うことを特徴とする請求項１、２、３、４、５または６記載の画像表示装置。
【請求項８】
前記表示制御手段は、前記画像データに係る画像をそれぞれ一定時間づつ表示することを特徴とする請求項１、２、３、４または５記載の画像表示装置。
【請求項９】
前記入力手段は、無線により画像データを受信することを特徴とする請求項１記載の画像表示装置。
【請求項１０】
デジタルカメラと、このデジタルカメラから提供される画像を公共的な場で表示する画像表示装置とからなる画像表示システムにおいて、
前記デジタルカメラは、
所定の情報を付帯情報として画像データに添付する付帯情報添付手段と、
前記付帯情報添付手段により前記付帯情報が添付された画像データを前記画像表示装置に送信する送信手段と
を具備し、
前記画像表示装置は、
前記デジタルカメラから画像データを受信する受信手段と、
前記受信手段により受信された画像データに係る画像の表示可否を添付された付帯情報から判断する判断手段と、
前記判断手段により表示可能と判断された画像データに係る画像を表示する表示制御手段と
を具備することを特徴とする画像表示システム。
【請求項１１】
記録媒体と、この記録媒体に撮影画像データを記録するカメラと、このカメラから提供される画像を公共的な場で表示する画像表示装置とからなる画像表示システムにおいて、
前記記録媒体には、画像データに係る画像の表示条件を示す条件情報が記録されており、
前記カメラは、前記記録媒体に記録した画像データを前記条件情報と共に前記画像表示装置に送信する手段を有し、
前記画像表示装置は、前記カメラから受信した画像データを当該画像データと共に受信した条件情報に従った条件下で表示する手段を有する
ことを特徴とする画像表示システム。
【請求項１２】
前記記録媒体には、同時に送信可能な画像データ数を示す規定画像数情報が記録されており、
前記カメラは、前記画像表示装置に送信する画像データ数を前記記録媒体に記録された規定画像数情報で示される画像データ数に制限する手段を有する
ことを特徴とする請求項１１記載の画像表示システム。
【請求項１３】
前記条件情報には、カメラの種別を識別するための識別情報が含まれ、
前記画像表示装置は、前記識別情報により識別されるカメラが特定のカメラである場合に、この識別情報を含んだ条件情報と共に受信した画像データに係る画像の表示を許可する手段を有する
ことを特徴とする請求項１１記載の画像表示システム。
【請求項１４】
公共的な場で画像を表示する画像表示装置に画像データを送信するカメラに装着される記録媒体であって、
前記画像表示装置に対する前記カメラの画像データ送信に関する条件を示す条件情報が予め記録されていることを特徴とする記録媒体。
【請求項１５】
前記条件情報には、同時に送信可能な画像データ数を示す規定画像数情報が含まれることを特徴とする請求項１４記載の記録媒体。
【請求項１６】
公共的な場で画像を表示する画像表示装置に画像データを送信するカメラであって、画像データ記録用の記録媒体を着脱自在なカメラにおいて、
画像データの表示条件を示す条件情報を前記記録媒体から読み込む手段と、
前記読み込んだ条件情報に従って、前記記録媒体に記録された画像データを前記画像表示装置に送信する手段と
を具備することを特徴とするカメラ。
【請求項１７】
前記条件情報に含まれる、同時に送信可能な画像データ数を示す規定画像数情報に従って、前記画像表示装置に送信する画像データ数を制限する手段を有することを特徴とする請求項１６記載のカメラ。
【請求項１８】
公共的な場で画像を表示する画像表示装置に画像データを送信するカメラであって、画像データ記録用の記録媒体を着脱自在なカメラにおいて、
画像データの表示条件を入力する手段と、
前記記録媒体に記録された画像データを、前記入力した表示条件を示す条件情報と共に前記画像表示装置に送信する手段と
を具備することを特徴とするカメラ。
【請求項１９】
各地に点在して設置される複数の端末装置と、公共的な場で画像を表示する画像表示装置と、前記複数の端末装置および前記画像表示装置とネットワークを介して接続されるサーバ装置とからなる画像表示システムであって、
前記複数の端末装置それぞれは、
画像データを入力する手段と、
前記入力した画像データを前記ネットワークを介して前記サーバ装置に送信する手段と
を具備し、
前記サーバ装置は、
前記複数の端末装置から画像データを受信する手段と、
前記受信した画像データの表示可否を判断する手段と、
前記判断により表示可能と判断した画像データを前記ネットワークを介して前記画像表示装置に送信する手段と
を具備することを特徴とする画像表示システム。
【請求項２０】
各地に点在して設置される複数の端末装置と、前記複数の端末装置とネットワークを介して接続され公共的な場で画像を表示する画像表示装置とからなる画像表示システムであって、
前記複数の端末装置それぞれは、
画像データを入力する手段と、
前記入力した画像データの表示可否を判断する手段と、
前記判断により表示可能と判断した画像データを前記ネットワークを介して前記画像表示装置に送信する手段と
を具備することを特徴とする画像表示システム。
【請求項２１】
前記複数の端末それぞれは、徴収金額に応じて設定される表示時間に関する情報を各画像データと共に前記ネットワークを介して前記画像表示装置に送信する手段を有することを特徴とする請求項２０記載の画像表示システム。
【請求項２２】
公共的な場で画像を表示する画像表示装置の表示方法において、
画像データを入力し、
前記入力した画像データの表示可否を判断し、
前記判断により表示可能と判断した画像データを表示する
ことを特徴とする画像表示装置の表示方法。
【請求項２３】
公共的な場で画像を表示する画像表示装置を、
画像データを入力し、
前記入力した画像データの表示可否を判断し、
前記判断により表示可能と判断した画像データを表示する
ように動作させるためのプログラム。
【請求項２４】
公共的な場で画像を表示する画像表示装置を、
画像データを入力し、
前記入力した画像データの表示可否を判断し、
前記判断により表示可能と判断した画像データを表示する
ように動作させるためのプログラムを記憶したコンピュータ読み取り可能な記録媒体。
【発明の詳細な説明】
【技術分野】
【０００１】
この発明は、公共的な場で画像を表示するための画像表示システムに適用して好適な表示制御技術に関する。
【背景技術】
【０００２】
従来、屋外の広告は、印刷物が貼り付けられたものや、あるいは直接描かれたものがほとんどであったが、最近では、大型かつ薄型の電子表示装置が開発され、例えばビルの壁面に設置された電子表示装置を使って広告画像を表示するものも増えてきている。この広告画像を表示するための電子表示装置は、電子広告装置などと称されている。
【０００３】
屋外に置かれ、大型フラット型ディスプレイに広告を表示させるような電子広告装置に関しては、例えば広告とともに利用者個人の伝言と伝言発信者の顔写真とが表示されるようになされた電子広告装置が提案されている（特許文献１）。また、携帯カメラからの送られた伝言と顔写真画像とを広告の一部に表示させる電子広告装置も提案されている（特許文献２）。さらに、基地局のメインコンピュータからインターネット経由で放送用コンテンツをディスプレイ装置に配信・放映する際、携帯移動電話にも配信・放映し、その訂正・更新も携帯移動電話でリアルタイムで行えるようにした、インターネットを利用した電子広告システム及びディスプレイ装置が提案されている（特許文献３）。
【０００４】
一方、画像の内容に一定の制限を課すための手段としては、公序良俗に反する画像を対比するためのテンプレート画像を登録してモザイク処理を行うモザイク機能付きの撮像装置が提案されている（特許文献４）。また、送信された画像の所定色（いわゆる肌色）の占有率を検出し、占有率の高い画像を目視確認すべき画像と判断する画像検閲システムも提案されている（特許文献５）。
【特許文献１】特開２００１−０４２８０７
【特許文献２】特開２００１−１６７０２５
【特許文献３】特開２００２−０３２６５８
【特許文献４】特開２００１−０８６４０７
【特許文献５】特開２００４−０５４４５２
【発明の開示】
【発明が解決しようとする課題】
【０００５】
ところで、一般の人が自分の撮影した画像を表示させる表示装置としては、カメラ内蔵ＬＣＤか、家庭用のＴＶやモニタが一般である。大型の画面として、ビル等の壁面に設置される大画面表示装置が知られているが、前述のような特定の広告画像等の表示に利用されるだけで、一般の人が自分の撮影した画像を表示すべく広く利用できるようにはなっていない。特許文献２でも、広告の一部として顔写真が掲載されるだけである。
【０００６】
自分の撮影した画像を大画面の表示装置へ表示させることは、室内で楽しむのと違い、多くの人に画像を提供できたり、画像を手軽に発表できたりと、多くの人が楽しめるので、利用性も高いと考えられる。しかしながら、公共的な場所に置かれる表示装置では、自ずと画像の内容に制限が必要となるが、従来では、その担保がなされていない。特許文献５では、所定色の占有率から目視確認すべき画像と判断するシステムが提案されているものの、公共的な表示装置への適用は検討されていない。
【０００７】
この発明は、このような事情を考慮してなされたものであり、公共的な場所で自分の撮影した画像を一般の人が手軽に表示させることを可能とする画像表示装置、画像表示システム、カメラおよび画像表示装置の表示方法を提供することを目的とする。
【課題を解決するための手段】
【０００８】
前述の目的を達成するために、この発明の画像表示装置は、カメラから提供される画像を公共的な場で表示する画像表示装置において、カメラから送信された画像データを入力する入力手段と、前記入力手段により入力された画像データを記憶する記憶手段と、前記記憶された画像データに係る画像の表示可否を判断する判断手段と、前記判断手段によりその表示を許可すべきでないと判断された画像データを前記記憶手段から消去する画像消去手段と、前記判断手段により表示可能とされた画像を表示させる表示制御手段とを具備することを特徴とする。
【０００９】
また、この発明の画像表示システムは、デジタルカメラと、このデジタルカメラから提供される画像を公共的な場で表示する画像表示装置とからなる画像表示システムにおいて、前記デジタルカメラは、所定の情報を付帯情報として画像データに添付する付帯情報添付手段と、前記付帯情報添付手段により前記付帯情報が添付された画像データを前記画像表示装置に送信する送信手段とを具備し、前記画像表示装置は、前記デジタルカメラから画像データを受信する受信手段と、前記受信手段により受信された画像データに係る画像の表示可否を添付された付帯情報から判断する判断手段と、前記判断手段により表示可能と判断された画像データに係る画像を表示する表示制御手段とを具備することを特徴とする。
【００１０】
また、この発明のカメラは、公共的な場で画像を表示する画像表示装置に画像データを送信するカメラであって、画像データ記録用の記録媒体を着脱自在なカメラにおいて、画像データの表示条件を示す条件情報を前記記録媒体から読み込む手段と、前記読み込んだ条件情報に従って、前記記録媒体に記録された画像データを前記画像表示装置に送信する手段とを具備することを特徴とする。
【００１１】
また、この発明の画像表示装置の表示方法は、公共的な場で画像を表示する画像表示装置の表示方法において、画像データを入力し、前記入力した画像データの表示可否を判断し、前記判断により表示可能と判断した画像データを表示することを特徴とする。
【発明の効果】
【００１２】
この発明によれば、公共的な場所で自分の撮影した画像を一般の人が手軽に表示させることを可能とする画像表示装置、画像表示システム、カメラおよび画像表示装置の表示方法を提供できる。
【発明を実施するための最良の形態】
【００１３】
以下、図面を参照してこの発明の実施形態を説明する。
【００１４】
（第１実施形態）
まず、この発明の第１実施形態について説明する。入力手段は例えばハードディスクから成り、判断手段は例えば判断ユニットから成り、画像消去手段は例えばＣＰＵから成り、表示制御手段は例えばＣＰＵ２１から成り、色算出手段は色算出部から成り、比較画像記憶手段は例えばテンプレート画像記憶部から成る。
【００１５】
また、付帯情報は例えばユーザの識別情報、送信有効期間、送信可能枚数、カメラの識別情報の少なくとも１つから成り、付帯情報添付手段はＣＰＵ１１から成り、条件情報は送信有効期間、送信可能枚数の少なくとも１つから成り、規定画像情報は例えば送信可能枚数から成る。図１は、この第１実施形態に係る画像表示システムの構成図である。
【００１６】
この第１実施形態の画像表示システムは、例えば一般の人が自分の撮影した画像を多くの人に向けて手軽に発表する機会を与える等のために、デジタルカメラ１から公共的な場所に設置される表示装置２に無線で撮影画像を転送して表示させることを可能とするものである。デジタルカメラ１と表示装置２との間のデータ授受は、無線データ通信によって実行されるので、表示装置２を設置する公共的な場所として、図示のように、乗り物等の移動物および建物等の固定物のいずれも可能である。
【００１７】
図２には、移動物への表示装置２の設置例が示されている。（Ａ）および（Ｂ）は、バスの車体へ適用した例を示しており、（Ａ）が、車体の側面全体に表示装置２が設置された理想的な状態であるが、（Ｂ）のように、車体の一部分領域でも良い。また、（Ｃ）および（Ｄ）は、電車の車内外へ適用した例を示しており、（Ｃ）は、電車の室外に表示装置２が設置された状態、（Ｄ）は、電車の室内に表示装置２が吊り広告風に設置された状態である。
【００１８】
また、図３には、固定物への表示装置２の設置例が示されている。（Ａ）は、ビルディングの特殊ガラス面全体または広告塔に表示装置２が設置された状態、（Ｂ）は、例えば遊園地等のテーブル面に表示装置２が設置された状態、（Ｃ）は、例えば駅の伝言板に表示装置２が設置された状態、（Ｄ）は、例えば地下街の歩道やコンコース等の壁面に表示装置２が設置された状態である。
【００１９】
なお、図２で示した移動物への表示装置２の設置例、および図３で示した固定物への表示装置２の設置例は、公共的な場所として様々な場所が取り得ることを示すための単なる例示であって、これらに限られるものではない。
【００２０】
このように公共的な場所として様々な場所に設置され得る表示装置２の外観の一例を図４に示す。
【００２１】
表示装置２は、液晶パネルや電子ペーパーなどと称される表示デバイス、または内側からはガラスのような透過性を発揮する一方で外側からは表示物が見えるように構成された表示デバイス等であり、図示のように、例えば壁面等に貼り付けるように設置可能な薄型の本体を有している。そして、その一端には、例えば赤外線やBluetooth（登録商標）などの無線デー通信を行うための受信部２３が設けられている。
【００２２】
一方、図５は、表示装置２の内部構成を示すブロック図である。図５に示すように、表示装置２は、ＣＰＵ２１、ＲＯＭ２２、受信部２３、バッファメモリ２４、画像記録部２５、ハードディスク２６、画像再生部２７および表示部２８を有している。
【００２３】
ＣＰＵ２１は、この表示装置２全体の制御を司り、ＲＯＭ２２に格納されたプログラムを実行して各種機能を実現する。このように実現される機能の１つとして、判断ユニット２１１が存在するが、その役割については後述する。ＲＯＭ２２は、電気的に書き換え可能なフラッシュメモリであり、プログラムのアップデート等や各種制御情報の管理を行うことができる。
【００２４】
デジタルカメラ１から送信される画像データは、受信部２３により受信され、バッファメモリ２４に一時的に格納される。この表示装置２は、圧縮符号化された画像データおよび圧縮符号化されていない画像データの双方を受け付け可能であり、バッファメモリ２４に格納された画像データが圧縮符号化データであった場合、そのままハードディスク２６に渡されて恒久的に格納され、一方、非圧縮符号化データであった場合には、画像記録部２５によって例えばＪＰＥＧ（Joint Photographic Experts Group）等による圧縮符号化が施されてからハードディスク２６に渡されて恒久的に格納される。
【００２５】
ハードディスク２６内の圧縮符号化された画像データは、画像再生部２７によって読み出されて伸長復号化が施されると共に、色処理やサイズ調整等の補正処理が施され、表示部２８により表示される。そして、前述の判断ユニット２１１は、以上のような手順で公共的な場所にて表示されることになるデジタルカメラ１からの画像データの表示可否を判断するものであり、そのために、本人認証部２１２および有害画像判断部２１３を有している。
【００２６】
本人認証部２１２は、画像データを送信してきたデジタルカメラ１のユーザが予め登録されたユーザであるかどうかを判定するものであり、判断ユニット２１１は、第１に、事前に登録されたユーザかどうかで画像データの表示可否を判断する。この判断は、例えばＲＯＭ２２に登録ユーザの識別情報を格納しておくと共に、デジタルカメラ１から画像データの送信時にユーザの識別情報を当該画像データに添付してもらい、この添付情報としての識別情報がＲＯＭ２２に格納されているかどうかを調べることで実施する。
【００２７】
一方、有害画像判断部２１３は、デジタルカメラ１から送信された画像データの中から公共的な場所で表示するのに相応しくない画像データを排除するためのものであり、判断ユニット２１１は、第２に、その内容が制限すべき内容かどうかで画像データの表示可否を判断する。この判定は、例えば画像の所定色（いわゆる肌色）の占有率を求め、この求めた占有率が基準値を越えた場合に、有害な画像であると判定する等が考えられる。この占有率を求めるため、有害画像判断部２１３は、色算出部２１４を備える。また、例えば有害とする典型的なテンプレート画像の画像データをＲＯＭ２２に格納しておき、このテンプレート画像データとの比較により有害な画像かどうかを調べても良い。
【００２８】
つまり、この判断ユニット２１１を備えることで、表示装置２は、表示を許可する画像に適切な制限を課すことになり、公共的な場所で自分の撮影した画像を一般の人が手軽に表示させることを可能とする。
【００２９】
また、図６は、デジタルカメラ１の内部構成を示すブロック図である。図６に示すように、デジタルカメラ１は、ＣＰＵ１１、ＲＯＭ１２、入力部１３、撮像部１４，画像記録部１５、記憶媒体１６および送信部１７を有している。
【００３０】
ＣＰＵ１１は、このデジタルカメラ１全体の制御を司り、ＲＯＭ１２に格納されたプログラムを実行して各種機能を実現する。また、ＲＯＭ１２は、電気的に書き換え可能なフラッシュメモリであり、プログラムのアップデート等や各種制御情報の管理を行うことができる。
【００３１】
入力部１３は、デジタルカメラ１の筐体周壁に設けられる各種操作ボタンの操作をＣＰＵ１１に伝達するものであり、この各種操作ボタンを操作することで、ユーザは、デジタルカメラ１の環境設定や動作指示を行うことができる。ユーザによる画像データの表示装置２への送信に係わる設定としては、例えば表示装置２を使用するための登録を行った際に割り当てられた識別情報をＲＯＭ１２に保持させる作業や、画像データの送信時に当該画像データを表示装置２に表示させたい日時を指定する作業などがある。
【００３２】
撮像部１４によって撮像された被写体像の画像データは、画像記録部１５によって例えばＪＰＥＧ等による圧縮符号化が施され、記録媒体１６に格納される。この記録媒体１６は、例えばカード型のメモリデバイスであって、このデジタルカメラ１に取り外し自在に装着される。この記録媒体１６には、その頒布時に予め条件情報が格納されており、この条件情報に基づき、当該記録媒体１６に格納された画像データの送信部１７による表示装置２への送信が制御される。
【００３３】
より具体的に説明すると、この記録媒体１６に格納される条件情報には、送信有効期間や送信可能枚数などが含まれる。送信有効期間は、例えばこの記録媒体１６が使用され始めてから３０日以内を表示装置２に対する画像データの送信可能期間とするといった限定を与えるためのものであり、送信可能枚数は、例えばこの記録媒体１６からは表示装置２に対する画像データの送信を一度に１０枚まで可能とするといった限定を与えるためのものである。これらの情報は、記録媒体１６上において所定のファイル名で例えばテキスト形式で格納され、ＣＰＵ１１によってその管理が行われる。
【００３４】
つまり、この例では、ある記録媒体１６を購入したユーザは、その記録媒体１６の使用を開始してから３０日以内に限り、１０枚を限度に自分が撮影した画像を公共的な場所で手軽に表示させることができ、一方、この記録媒体１６の販売元では、こうしたユーザを対象とした売上高の増加を期待することができる。無料でこのような記録媒体を付けて、カメラ自体の販売促進用にも利用できる。また、公共的な場所に相応しくない画像を排除するための制限も適切に行われる。
【００３５】
次に、図７乃至図１１を参照して、この画像表示システムのデジタルカメラ１および表示装置２の動作手順を説明する。図７乃至図１０にはデジタルカメラ１側の動作手順、図１１には表示装置２の動作手順がそれぞれ示されている。
【００３６】
まず、デジタルカメラ１側の動作手順を説明する。図７は、デジタルカメラ１の画像データ送信に係わるメインフローである。
【００３７】
図７に示すように、デジタルカメラ１は、画像データを表示装置２に送信して表示させるにあたり、送信条件に関する設定を設定モードにて行い（ステップＡ１）、表示装置２に表示させたい画像の撮影を撮影モードにて行い（ステップＡ２）、表示装置２に対する画像データの送信を送信モードにて行う（ステップＡ３）。図８には設定モードでの動作の詳細な流れ、図９には撮影モードでの動作の詳細な流れ、図１０には送信モードでの動作の詳細な流れがそれぞれ示されている。
【００３８】
設定モードでは、記録媒体１６から条件情報を読み出し（ステップＢ１）、この読み出した条件情報をＲＯＭ１２等のカメラ内部の記憶部に格納する（ステップＢ２）。
【００３９】
また、撮影モードでは、撮像部１４による被写体像の撮影を行い（ステップＣ１）、その画像データを記録媒体１６に記録する（ステップＣ２）。
【００４０】
そして、送信モードでは、入力部１３から送信指示を受けると（ステップＤ１）、この記録媒体１６における条件情報の送信有効期間を調べる（ステップＤ２）。もし、送信有効期間内でなければ（ステップＤ２のＮＯ）、その旨を報知するためのエラーメッセージを表示してこの処理を終了する（ステップＤ３）。
【００４１】
一方、送信有効期間内であれば（ステップＤ２のＹＥＳ）、続いて、記録媒体１６内のいずれの画像データを送信対象とするのかの選択操作を入力部１３から受け付ける（ステップＤ４）。そして、この選択が終了すると、選択された画像数が送信可能数以下かどうかを調べ（ステップＤ５）、送信可能数を越えていれば（ステップＤ５のＮＯ）、送信有効期間外であった場合と同様に、その旨を報知するためのエラーメッセージを表示してこの処理を終了する（ステップＤ３）。
【００４２】
また、送信可能枚数以下であれば（ステップＤ５のＹＥＳ）、今度は、これらの表示日時の指定を必要に応じて入力部１３から受け付け（ステップＤ６）、この指定内容を必要に応じて表示条件として添付すると共に、当該ユーザの識別情報を添付した画像データ群を表示装置２に送信する（ステップＤ７）。また、使用しているカメラの種別を識別するための識別情報を添付しても良い。
【００４３】
次に、図１１を参照して、表示装置２側の動作手順を説明する。
【００４４】
表示装置２は、デジタルカメラ１からの画像データを受信部２３にて受信すると（ステップＥ１）、例えば現在の受け付け画像数やこれらの総容量が規定オーバーで受信許可できない状況になっていないかどうかを調べ（ステップＥ２）、受信許可できない状況であれば（ステップＥ２のＮＯ）、この時点でこの処理を終了する。一方、受信許可できる状況であれば（ステップＥ２のＹＥＳ）、第１に、この画像データを送信してきたデジタルカメラ１のユーザが登録ユーザかどうかを判断ユニット２１１の本人認証部２１２によりチェックし（ステップＥ３）、登録ユーザでなければ（ステップＥ３のＮＯ）、当該画像データの表示を許可せずにこの処理を終了する。また、カメラの識別情報により特定のカメラについてのみ表示を許可するようにしても良い。
【００４５】
登録ユーザであれば（ステップＥ３のＹＥＳ）、一旦、この画像データをハードディスク２６等の装置内部の記憶部に格納し（ステップＥ４）、第２に、この画像データが公共的な場所で表示可能なものであるかどうかを判断ユニット２１１の有害画像判断部２１３によりチェックする（ステップＥ５）。そして、公共的な場所で表示するのには適さないと判定した場合（ステップＥ５のＮＯ）、先に格納した当該画像データを消去する（ステップＥ６）。
【００４６】
公共的な場所での表示が許可できるものであれば（ステップＥ５のＹＥＳ）、これらの画像データが日時指定されているかどうかを調べ（ステップＥ８）、日時指定されていた場合には（ステップＥ７のＹＥＳ）、当該画像データの表示については指定された日時が到来するまで待機する（ステップＥ８）。
【００４７】
日時指定がなされていないか（ステップＥ７のＮＯ）、あるいは、指定された日時が到来すると（ステップＥ８のＹＥＳ）、この画像データを受付順で表示部２８より表示していく（ステップＥ９）。ここでの各画像データの表示時間は、表示条件としての指定があればそれに従い、無ければ例えば１０秒をデフォルトとして設定する。そして、この表示時間が経過したら（ステップＥ１０のＹＥＳ）、当該画像データの表示に代えて所定の終了画面を表示し（ステップＥ１１）、例えば１日などの一定時間経過後に、装置内部の記憶部に格納された状態にある当該画像データを消去する（ステップＥ１２）。
【００４８】
以上のように、本実施形態の画像表示システムは、公共的な場所で自分の撮影した画像を一般の人が手軽に表示させることを可能とする。また、日時を特定しての表示もできるから、記念日に表示させることもできるようになる。
【００４９】
ところで、ここでは、デジタルカメラ１側で送信有効期間内かどうかを調べる例を説明したが、記録媒体１６の条件情報を添付情報として画像データと共に送信し、表示装置２側で当該チェックを行うように変更することも可能である。
【００５０】
（第２実施形態）
次に、この発明の第２実施形態について説明する。図１２は、この第２実施形態に係る画像表示システムの構成図である。
【００５１】
前述の第１実施形態では、ユーザが使用するデジタルカメラ１と公共的な場所に設置される表示装置２との間で直接的に画像データが授受される例を説明したが、この第２実施形態では、各地に点在する種々の業種の店舗に設置された端末装置３およびこれらを一元的に管理・収容するサーバ４を介して、ユーザの画像データを表示装置２に送信して表示させるようにしたものである。
【００５２】
本実施形態において、例えば自分が撮影した画像を公共の場所で表示させてみたいと考えるユーザは、その画像データを格納した例えばカード型のメモリデバイスおよびこのメモリデバイスを装着可能なカメラを持って端末装置３が設置された店舗に赴き、このカメラを端末装置３と接続すると共に、目的の画像データが格納されたメモリデバイスをこのカメラに装着する。そして、端末装置３が提示する操作画面に従って、例えば表示エリアや表示時間等の指定操作を行うと共に、その目的の画像データを選択して端末装置３に取り込ませる。
【００５３】
端末装置３では、前述の第１実施形態においてデジタルカメラ１が行っていた画像データの内容チェックを行い、特に問題が認められなければ、この取り込んだ画像データを指定された内容に合致する表示装置２に転送する。
【００５４】
この例では、公共的な場所で自分の撮影した画像を一般の人が手軽に表示させることを可能とすることに加えて、例えば端末装置３にて画像データを受け付ける際、例えば表示させる枚数や場所に応じて料金を徴収する等、新たなビジネスモデルを生み出すことができる。
【００５５】
図１３は、本実施形態の画像表示システムの内部構成を示すブロック図である。図示のように、この画像表示システムでは、表示装置２、端末装置３およびサーバ４がそれぞれ通信網５に接続される。従って、本実施形態の表示装置２は、第１実施形態の表示装置２が備える無線通信用の受信部２３に代えて、このネットワーク経由のデータ送受信を行うための通信部２８を備える。表示装置２に関しては、その他の構成は第１実施形態と同様である。
【００５６】
端末装置３は、ＣＰＵ３１、受付部３２、判断ユニット３３、テンプレート画像記憶部３４および通信部３５を有する。ＣＰＵ３１は、この端末装置３全体の制御を司るプロセッサである。受付部３２は、ユーザとの間のインタフェースを司り、前述の操作画面の提示やこの操作画面への応答操作の入力、画像の取り込み等を実行する。
【００５７】
判断ユニット３３は、第１実施形態の表示装置２の判断ユニット２１１に相当するものである。また、テンプレート画像記憶部３４は、この判断ユニット３３の有害画像判断部３３２が取り込んだ画像データの表示可否を判断するために比較するためのテンプレート画像を記憶するものである。そして、通信部３５は、判断ユニット３３の判断により表示が許可された画像データをサーバ４に送信するものである。
【００５８】
また、サーバ４は、端末装置３が例えば表示エリア選択用等の操作画面を提示するための各種情報の更新管理を行ったり、各端末装置３での料金徴収の情報を収集したり、あるいは端末装置３から送信されてきた画像データを各表示装置２毎に振り分けて一括送信するものである。
【００５９】
図１４は、本実施形態の端末装置３の動作手順を示すフローチャートである。
【００６０】
端末装置３は、カメラがケーブルで接続され（ステップＦ１）、又は、端末装置３に直接メモリカードが挿入されると（ステップＦ２）、カメラ又はメモリカードに格納された画像データの取り込みを実行する（ステップＦ３）。そして、この取り込んだ画像データの中から表示装置２に表示させる画像データの選択（ステップＦ４）や、表示装置の設置されている場所である表示エリア・表示時間等の選択（ステップＦ５）を受け付け、続いて、選択された画像データが公共的な場所で表示可能なものであるかどうかをチェックする（ステップＦ６）。
【００６１】
もし、公共的な場所で表示するのには適さない場合（ステップＦ６のＮＯ）、この取り込んだ画像データを消去し（ステップＦ７）、この処理を終了する。一方、公共的な場所での表示が許可できれば（ステップＦ６のＹＥＳ）、選択画像データ、表示エリア、表示時間および料金などの受け付け内容をユーザに提示し（ステップＦ８）、提示した内容をユーザが確認して料金が挿入されたら（ステップＦ９のＹＥＳ）、この受け付けた画像データをサーバ４に送信する。また、ステップＦ４での画像選択時またはステップＦ５での表示エリア・表示時間選択時に終了操作が行われたら（ステップＥ１１のＹＥＳ）、その時点で当該処理を終了する。
【００６２】
また、図１５には、第２実施形態における表示装置２の動作手順が示されている。
【００６３】
表示装置２は、デジタルカメラ１からの画像データを受信部２３にて受信すると（ステップＧ１）、例えば現在の受け付け画像数やこれらの総容量が規定オーバーで受信許可できない状況になっていないかどうかを調べ（ステップＧ２）、受信許可できない状況であれば（ステップＧ２のＮＯ）、この時点でこの処理を終了する。一方、受信許可できる状況であれば（ステップＧ２のＹＥＳ）、この画像データをハードディスク２６等の装置内部の記憶部に格納する。（ステップＧ３）、そして、これらの画像データが日時指定されているかどうかを調べ（ステップＧ４）、日時指定されていた場合には（ステップＧ４のＹＥＳ）、当該画像データの表示については指定された日時が到来するまで待機する（ステップＧ５）。
【００６４】
日時指定がなされていないか（ステップＧ４のＮＯ）、あるいは、指定された日時が到来すると（ステップＧ５のＹＥＳ）、この画像データを受付順で表示部２８より表示していく（ステップＧ６）。ここでの各画像データの表示時間は、表示条件としての指定があればそれに従い、無ければ例えば１０秒をデフォルトとして設定する。そして、この表示時間が経過したら（ステップＧ７のＹＥＳ）、当該画像データの表示に代えて所定の終了画面を表示し（ステップＧ８）、例えば１日などの一定時間経過後に、装置内部の記憶部に格納された状態にある当該画像データを消去する（ステップＧ９）。
【００６５】
このように、この第２実施形態の表示装置２と、第１実施形態の表示装置２との動作手順の違いは、第２実施形態の表示装置２では、（端末装置３で実施済みの）受信した画像データが公共的な場所で表示可能なものであるかどうかのチェックを必要としない点にある。つまり、図１１に示した第１実施形態の表示装置２の動作手順中のステップＥ５，ステップＥ６を除いたものが、この図１５に示した第２実施形態における表示装置２の動作手順となる。
【００６６】
以上のように、本実施形態の画像表示システムにおいても、公共的な場所で自分の撮影した画像を一般の人が手軽に表示させることを可能とする。
【００６７】
なお、ここでは、ユーザの画像データが公共的な場所で表示可能なものであるかどうかのチェックを各々の端末装置３で行う例を説明したが、このチェック機能をサーバ４に持たせるように変更することも容易に可能である。図１６は、この変形例に係る画像表示システムの構成を示す図である。図示のように、この場合のサーバ４は、図１３に示した端末装置３が備える判断ユニット３３およびテンプレート画像記憶部３４に対応する、判断ユニット４４およびテンプレート画像記憶部４５を、端末装置３に代わって備えることになる。そして、この場合には、各端末装置３は、その内容のチェックをその都度サーバ４に依頼し、当該チェック結果の返送を受けて、各画像データの受け付け可否をユーザに報知すれば良い。
【００６８】
また、前述の第１実施形態では、画像データを送信するための機器としてカメラを例に説明したが、これに限られるものではなく、本発明の制御手法は、例えばＰＤＡやパーソナルコンピュータ、携帯電話機等、種々の電子機器に応用することが可能である。
【００６９】
また、ＣＰＵに対して上記機能を実行するソフトウェアのプログラムを供給し、このＣＰＵが、供給されたプログラムに従って上記動作させることにより上記実施の形態の機能を実現したものも、本発明の範疇に含まれる。つまり上記ソフトウェアのプログラム自体が上述した実施の形態の機能を実現することになり、そのプログラム自体は本発明を構成する。
【００７０】
さらに、これらのプログラムはＲＯＭ以外の記録媒体の形式で記憶され、そこから読み出されて実行されていも良い。例えば上記プログラムはカメラや表示装置に着脱可能な記録媒体に格納されても良い。記録媒体としては、フロッピィディスク（登録商標）、ＣＤ−ＲＯＭの他にも、ＤＶＤ等の光学記録媒体、ＭＤ等の磁気記録媒体、テープ媒体、ＩＣカード等の半導体メモリ等を用いることができる。
【００７１】
また、専用通信ネットワークやインターネットに接続されたサーバシステムに設けたハードディスクまたはＲＡＭ等の格納装置を記録媒体として使用し、通信網を介してプログラムをカメラや表示装置に提供しても良い。あるいは他のアプリケーションソフト等と協働して上述の実施の形態の機能が実現される場合にも、かかるプログラムが本発明の実施の態様に含まれることはいうまでもない。
【００７２】
つまり、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除しても良い。さらに、異なる実施形態にわたる構成要素を適宜組み合わせても良い。
【図面の簡単な説明】
【００７３】
【図１】本発明の第１実施形態に係る画像表示システムの構成図
【図２】同実施形態の画像表示システムにおける移動物への表示装置の設置例を示す図
【図３】同実施形態の画像表示システムにおける固定物への表示装置の設置例を示す図
【図４】同実施形態の画像表示システムの表示装置の外観の一例を示す図
【図５】同実施形態の画像表示システムの表示装置の内部構成を示すブロック図
【図６】同実施形態の画像表示システムのデジタルカメラの内部構成を示すブロック図
【図７】同実施形態の画像表示システムのデジタルカメラの画像データ送信に係わるメインフロー
【図８】同実施形態の画像表示システムのデジタルカメラの設定モードでの動作の詳細な流れを示すフローチャート
【図９】同実施形態の画像表示システムのデジタルカメラの撮影モードでの動作の詳細な流れを示すフローチャート
【図１０】同実施形態の画像表示システムのデジタルカメラの送信モードでの動作の詳細な流れを示すフローチャート
【図１１】同実施形態の画像表示システムの表示装置の動作手順を示すフローチャート
【図１２】同第２実施形態の画像表示システムの構成図
【図１３】同実施形態の画像表示システムの内部構成を示すブロック図
【図１４】同実施形態の画像表示システムの端末装置の動作手順を示すフローチャート
【図１５】同実施形態の画像表示システムの表示装置の動作手順を示すフローチャート
【図１６】同実施形態の画像表示システムの変形例に係る内部構成を示すブロック図
【符号の説明】
【００７４】
１…デジタルカメラ、２…表示装置、３…端末装置、４…サーバ、５…通信網、１１…ＣＰＵ、１２…ＲＯＭ、１３…入力部、１４…撮像部、１５…画像記録部、１６…記録媒体、１７…送信部、２１…ＣＰＵ、２２…ＲＯＭ、２３…受信部、２４…バッファメモリ、２５…画像記録部、２６…ハードディスク、２７…画像再生部、２８…表示部、２９…通信部、３１…ＣＰＵ、３２…受付部、３３…判断ユニット、３４…テンプレート画像記憶部、３５…通信部、４４…判断ユニット、４５…テンプレート画像記憶部、２１１…判断ユニット、２１２…本人認証部、２１３…有害画像判断部、２１３…有害画像判定部、２１４…色算出部、３３２…有害画像判断部。
【図１】
2006254222.tif 000003
【図２】
2006254222.tif 000004
【図３】
2006254222.tif 000005
【図４】
2006254222.tif 000006
【図５】
2006254222.tif 000007
【図６】
2006254222.tif 000008
【図７】
2006254222.tif 000009
【図８】
2006254222.tif 000010
【図９】
2006254222.tif 000011
【図１０】
2006254222.tif 000012
【図１１】
2006254222.tif 000013
【図１２】
2006254222.tif 000014
【図１３】
2006254222.tif 000015
【図１４】
2006254222.tif 000016
【図１５】
2006254222.tif 000017
【図１６】
2006254222.tif 000018